(57)【要約】【課題】ユーザからの外観デザインの変更要求に容易に答えられ、プラズマディスプレイなどの表示ユニットからの電磁波のシールド効果を発揮する表示装置を提供する。【解決手段】表示装置にあって、表示ユニットは、リアパネルと表示ユニットの間に設けたフレームにねじなどの締結部品で固定され、且つ、このフレームの折り曲げられた端部には、光学フィルタを支持するフィルタ取付金具がねじなどの締結部品で固定され一体化し、リアパネルは、一体化したフレームの背面側にねじなどの締結部品で固定され、フロントパネルは、Ｌ字枠状のフロントパネルの先端部にて光学フィルタ及びフィルタ取付金具をカバーすると共に、この他方端部で固定されたリアパネルの枠状端部にねじなどの締結部品で固定する。【選択図】　　　図１
2004117874.tif 000002
【特許請求の範囲】
【請求項１】
プラズマディスプレイなどの表示ユニットと、表示ユニットの前面に装着される光学フィルタ及びフロントパネルと、フロントパネルの背面を覆うリアパネルとからなり、光学フィルタ及びフロントパネルとリアパネルの間に表示ユニットを配設する表示装置にあって、
前記表示ユニットは、前記リアパネルと前記表示ユニットの間に設けたフレームに締結部品で固定され、且つ、このフレームの折り曲げられた端部には、前記光学フィルタを支持するフィルタ取付金具が締結部品で固定され一体化し、
前記リアパネルは、前記一体化したフレームの背面側に締結部品で固定され、
前記フロントパネルは、Ｌ字枠状のフロントパネルの先端部にて前記光学フィルタ及び前記フィルタ取付金具をカバーすると共に、この他方端部で前記固定されたリアパネルの枠状端部に締結部品で固定することを特徴とする表示装置。
【請求項２】
プラズマディスプレイなどの表示ユニットと、表示ユニットの前面に装着される光学フィルタ及びフロントパネルと、フロントパネルの背面を覆うリアパネルとからなり、光学フィルタ及びフロントパネルとリアパネルの間に表示ユニットを配設する表示装置にあって、
前記表示ユニットは、前記リアパネルと前記表示ユニットの間に設けたフレームに締結部品で固定され、且つ、このフレームの折り曲げられた端部には、前記光学フィルタを支持するフィルタ取付金具が締結部品で固定され一体化し、
前記リアパネルは、前記一体化したフレームの背面側に締結部品で固定され、
前記フィルタ取付金具は、矩形状の光学フィルタの４辺をそれぞれに支持する側の端部が任意の数で互い違いの間隔の爪部を有して狭持し、
前記フロントパネルは、Ｌ字枠状のフロントパネルの先端部にて前記光学フィルタ及び前記フィルタ取付金具をカバーすると共に、この他方端部で前記固定されたリアパネルの枠状端部に締結部品で固定することを特徴とする表示装置。
【請求項３】
前記フィルタ取付金具の切り欠きしたばね性を有する一方の爪部は、前記光学フィルタを狭持する面側に突起部を有していることを特徴とする請求項２記載の表示装置。
【請求項４】
前記フィルタ取付金具の他方の爪部の幅は、前記ばね性を有する一方の爪部の幅より広くすることを特徴とする請求項２または請求項３記載の表示装置。
【請求項５】
前記フィルタ取付金具は、階段状部分にスリット部を設けて光学フィルタの縁部を露出させ、フロントパネルに設けた位置決めリブと前記光学フィルタの縁部を接触させて光学フィルタを位置決めすることを特徴とする請求項１記載の表示装置。
【請求項６】
前記フィルタ取付金具の長手方向の爪部の少なくとも一方の端部には、矩形状の光学フィルタの長手方向を位置決めする切り起し部を設けることを特徴とする請求項２乃至請求項５の何れか１項記載の表示装置。
【請求項７】
前記表示ユニットが、プラズマディスプレイであることを特徴とする請求項１乃至請求項６の何れか１項記載の表示装置。
【発明の詳細な説明】
【０００１】
【発明の属する技術分野】
本発明は、特にユーザからの外観デザインの変更要求に容易に答えられ、プラズマディスプレイ（以下ＰＤＰと称す）などの表示ユニットからの電磁波のシールド効果を発揮する表示装置に関する。
【０００２】
【従来の技術】
従来、ＰＤＰなどの薄型画像表示装置は、図９に示すように、光学フィルタ２４を前面部に保持する、上下左右の辺部２０からなる矩形状の枠体２１と、光学フィルタ２４を枠体２１に固定する固定金具と、枠体２１の背面部を覆う背面カバー２３とを含んでいる。枠体２１は、その各辺部２０の内面が階段状に形成され、各辺部２０の内面には、同様に階段状に形成された、固定金具を構成する部分金具２２が取り付けられ、各辺部２０の内面は全体が部分金具２２により覆われている。光学フィルタ２４は、その縁部２６が枠体辺部２０の第１の平面部２７上に配置され、部分金具２２の第１の平坦部２８により導電性および弾性を有するガスケット２９を介して押圧固定されている。ＰＤＰ２５は、前方の光学フィルタ２４、側部の各部分金具２２、ならびに背面カバー２３により完全に覆われ、ＰＤＰ２５が放射する電磁波が阻止される構造が開示されている（例えば、特許文献１参照。）。
【０００３】
【特許文献１】
特開２００１−１４１９７２号公報（第１頁、図１）
【０００４】
【発明が解決しようとする課題】
このように、前述した従来の図９に示す薄型画像表示装置では、上下左右の辺部２０からなる矩形状の枠体２１（本願のフロントパネル６に相当）は、各辺部２０の内面が階段状に形成され、各辺部２０の内面の全体が部分金具２２（本願のフィルタ取付金具２に相当）により覆われて、背面カバー２３（本願のリアパネル５に相当）と階段状の部分金具２２と枠体２１とをねじ３０により固定されて取付られているため、セット内部まで分解しないと矩形状の枠体２１のみを取り外すことができない構造であり、枠体２１交換に大きな手間がかかる問題があった。従って、ＰＤＰ２５（本願の表示ユニット３に相当）の矩形状の枠体２１は外観部品であり、傷がついた場合やＯＥＭ等でデザインのバリエーションごとに交換する必要があり、枠体２１のみが容易に取り外せ交換できる構造が望まれている。
【０００５】
また、光学フィルター２４はセット内部から放射される電磁波等を防止する目的で全面に渡り透明電極などのシールド処理が施されており、十分なシールド効果を発揮するためには光学フィルター２４の周囲４辺を確実にＰＤＰ本体のアースに接触させる必要がある。従来はフィルター各辺の上に部分金具をおいて一定の間隔で部分金具２２の上からねじ固定していた、或いは図９に示すように導電性および弾性を有するガスケット２９を介して押圧固定されていたが、各ねじの中間の部分、ガスケット２９ではアースへの十分な接触が得られず、シールド性能を低下させていた。また、ねじ同士の間隔を狭く設定することでシールド性能は向上するが、ねじの本数や組み立て工数の増加が問題となっていた。
【０００６】
本発明は、このような問題を解決しようとするもので、フロントパネルは、外観部品であるため傷がついた場合の交換や外観デザインを画像表示装置の使用される雰囲気に合わせて簡単に変更できる、と共にＰＤＰなどの表示ユニットからの電磁波のシールド効果を発揮する表示装置を提供することを目的とするものである。
【０００７】
【課題を解決するための手段】
前記課題を解決するために本願の発明の表示装置は、プラズマディスプレイなどの表示ユニットと、表示ユニットの前面に装着される光学フィルタ及びフロントパネルと、フロントパネルの背面を覆うリアパネルとからなり、光学フィルタ及びフロントパネルとリアパネルの間に表示ユニットを配設する表示装置にあって、前記表示ユニットは、前記リアパネルと前記表示ユニットの間に設けたフレームに締結部品で固定され、且つ、このフレームの折り曲げられた端部には、前記光学フィルタを支持するフィルタ取付金具が締結部品で固定され一体化し、前記リアパネルは、前記一体化したフレームの背面側に締結部品で固定され、前記フロントパネルは、Ｌ字枠状のフロントパネルの先端部にて前記光学フィルタ及び前記フィルタ取付金具をカバーすると共に、この他方端部で前記固定されたリアパネルの枠状端部に締結部品で固定することを特徴とする。また、前記フィルタ取付金具は、矩形状の光学フィルタの４辺をそれぞれに支持する側の端部が任意の数で互い違いの間隔の爪部を有して狭持することを特徴とする。
【０００８】
【作用】
本発明によるプラズマディスプレイなどの表示ユニットは、リアパネルと表示ユニットの間に設けたフレームに締結部品で固定され、且つ、このフレームの折り曲げられた端部には、光学フィルタを支持するフィルタ取付金具が締結部品で固定され一体構造にし、リアパネルは、一体構造にしたフレームの背面側に締結部品で固定され、フロントパネルは、Ｌ字枠状のフロントパネルの先端部にて光学フィルタ及びフィルタ取付金具をカバーすると共に、この他方端部で固定されたリアパネルの枠状端部に締結部品で固定する構成により、リアパネルの枠状端部上の締結部品を取るだけで容易にフロントパネルのみの着脱ができることになり、フロントパネルは、外観部品であるため傷がついた場合の交換や外観デザインを画像の表示装置の使用される雰囲気に合わせて簡単に変更できる。また、光学フィルタを支持するフィルタ取付金具には、矩形状の光学フィルタの４辺をそれぞれに支持する側の端部が任意の数で互い違いの間隔の爪部を有して光学フィルタの表裏辺を狭持することにより、光学フィルタの取り付けが容易であることは無論であると共に、ＰＤＰからの不要輻射ノイズを従来より高いシールド性能をもって発揮することができる。
【０００９】
【発明の実施の形態】
以下、本発明による本発明の実施の形態例について図面を参照して説明する。図１は本発明によるＰＤＰでの表示装置の一実施例の要部断面図、図２は本発明による一実施の形態例の分解斜視図、図３は図２の分解図を組立したものとフロントパネルの斜視図である。　図１に示すように、プラズマディスプレイなどの平面型の表示ユニット３と、表示ユニット３の前面に装着される光学フィルタ１及びフロントパネル６と、フロントパネル６の背面を覆うリアパネル５とからなり、光学フィルタ１及びフロントパネル６とリアパネル５の間に表示ユニット３を配設する表示装置にあって、表示ユニット３は、リアパネル５と表示ユニット３の間に設けたフレーム４にねじなどの締結部品８で固定され、且つ、このフレーム４の折り曲げられた端部には、光学フィルタ１を支持するフィルタ取付金具２がねじなどの締結部品７で固定され一体化し、リアパネル５は、一体化したフレーム４の背面側にねじなどの締結部品９で固定され、フロントパネル６は、Ｌ字枠状のフロントパネルの先端部にて光学フィルタ１及びフィルタ取付金具２をカバーすると共に、この他方端部で前記固定されたリアパネル５の枠状端部にねじなどの締結部品１０で固定するように構成されている。
【００１０】
図２、図３に示すように、表示ユニット３を中心とし、表示ユニット３の前面に光学フィルタ１を支持したフィルタ取付金具２及びフロントパネル６が装着され、表示ユニット３の背面にはフレーム４が装着され、フレーム４の背面にリアパネル５が装着されて構成される。表示ユニット３には、図示していないが、表示ユニット３を駆動するための駆動回路基板、装置を制御するための制御基板、および電源を供給するための電源基板などが搭載されている。また、表示ユニット３は、重量を支えて保持するための保持部である金属製のボス３ａが、所定の位置に分散して配設され、アルミダイキャスト、マグネシウムダイキャストなどで矩形状の枠体にし剛性を有するフレーム４に取付けられている。図の例では表示ユニット３の背面上部に水平方向に４箇所にボス３ａが配設されている。ボス３ａは円筒形の金属製で、筒形の軸心に取付ねじ用のねじ孔を有しねじなどの締結部品８でフレーム４に固定している。表示ユニット３の背面のこれらのボス３ａは、背面のフレーム４のそれぞれ対応する位置に設けられ、締結部品のねじ８で螺着している。このフレーム４の折り曲げられた端部には、光学フィルタ１を支持したフィルタ取付金具２がねじなどの締結部品７で固定され一体化してフレーム４によってこの重量を支えて保持している。
【００１１】
更にアルミニウムなどのリアパネル５は、一体化したフレーム４の背面側にねじなどの締結部品９で固定され、図３に示すようにプラスチック、アルミダイキャスト、マグネシウムダイキャストなどのフロントパネル６は、画面開口部６ｂを有するＬ字枠状のフロントパネル６の先端部にて光学フィルタ１及びフィルタ取付金具２をカバーすると共に、この他方端部で固定されたリアパネル５の枠状端部にねじなどの締結部品１０で図３の例では４箇所で固定するように構成されている。よって、この構成によりリアパネル５の枠状端部上のねじ１０を取るだけで容易にフロントパネル６のみの着脱ができることになり、フロントパネル６は、外観部品であるため傷がついた場合の交換や外観デザインを画像の表示装置の使用される雰囲気に合わせて簡単に変更できる。
【００１２】
図４は一実施の形態例のフィルタ取付金具の構造を示す斜視図である。図３、図４に示すように、フィルタ取付金具２は、光学フィルタ１の各辺部に対応する４つのフィルタ取付金具２ａ、２ｂ、２ｃ、２ｄから成り、アルミニウム、ステンレスなどの板体を補強を兼ねて階段状に折り曲げた形状に形成され、この一端面にはフーム４の折り曲げられた端部に固定するねじ孔７ａが設けらて図１に示すようにフレーム４の折り曲げられた端部を挟み込みねじなどの締結部品７で固定し、光学フィルタ１を支持する側の他面には、矩形状の光学フィルタ１の４辺をそれぞれに支持する側の端部が任意の数で互い違いの間隔の各爪部２ｈ、２ｊを有して光学フィルタ１の表裏辺を狭持する。
【００１３】
光学フィルタ１の辺部を各爪部２ｈと各爪部２ｊとで狭持するにおいて、この図の例では表示ユニット３側の光学フィルタ１の面側を挟んだ状態で狭持する各爪部２ｈは、板体を切り欠きしてばね性を有するようにする。この各爪部２ｈの幅に関しては各爪部２ｊの幅に比べて狭い方が、ばね特性及び切り欠きよる隙間も小さくなり電磁波の漏洩を抑制することになり好ましい。また、フロントパネル６側の光学フィルタ１の面側を保持する役割の各爪部２ｊは、Ｌ字状の平坦な状態で、光学フィルタ１を狭持し保持する基準面となるものである。よって、この各爪部２ｊの幅は、ばね性を有する各爪部２ｈの幅より広くすることが、光学フィルタ１の反りが起きないような平坦性、機械的強度（剛性）があり好ましい。この構成により光学フィルタ１の取り付けが容易で浮き上がり、反り、たわみなどの事故問題も起きることはない。
【００１４】
図５は光学フィルタを狭持した状態のフィルタ取付金具の爪部を示す断面図である。光学フィルタ１は、導電性を有して電磁シールド効果を発揮する透明な板であり、例えば透明なアクリル板などに透明な導電膜（例えばＩＴＯ）などを被着させ形成されている。図５に示すように、フィルタ取付金具２のばね性を有する各爪部２ｈには光学フィルタ１を狭持する面側に突起部２ｆを有するようにする。この突起部２ｆにより光学フィルタ１（図６に示す透明電極１ｂ、黒ベタ塗りの遮光膜１ａ含む）の厚さにバラツキがあっても確実にアルミニウム、ステンレスなどのフィルタ取付金具２と接触してフレーム４及びリアパネル５を介してアースへの導通が取れ、ＰＤＰなどの表示ユニット３からの電磁波のシールド効果を発揮することができる。
【００１５】
また、図６に示すように、アルミニウム箔、銅箔などの導電性テープ１１をコ字状態に介して、フィルタ取付金具２の突起部２ｆを有する各爪部２ｈと平坦な状態で保持する役割の各爪部２ｊとで光学フィルタ１の辺部を狭持することにより、更に確実な接触が得られ電磁波のシールド効果を発揮することができて好ましい。
【００１６】
更にまた、図７に示すように、フィルタ取付金具２の長手方向のフロントパネル６側の光学フィルタ１の面側を保持する役割の爪部２ｊの少なくとも一方の端部には、矩形状の光学フィルタの長手方向を位置決めする切り起し部２ｇを設けることにより、光学フィルタ１の位置決めができるのでフィルタ取付金具２への取り付けの狭持作業が容易になる。
【００１７】
図８は他の実施形態のフロントパネルの断面図である。図８に示すように、フィルタ取付金具２は、階段状部分にスリット部２ｅを設けて光学フィルタ１の縁部を露出させ、且つ、プラスチックなどで成形したフロントパネル６には、Ｌ字枠状の内側に補強を兼ねた位置決めリブ６ａを設けて、光学フィルタ１の縁部を接触させて光学フィルタ１を位置決めすることにより、フロントパネル６と光学フィルタ１との位置決めができるので、フロントパネル６を着脱してもフロントパネル６の画面開口部６ｂの端部と光学フィルタ１の遮光膜１ａの端部とが正確に位置決めでき取り付けすることができる。
【００１８】
【発明の効果】
以上説明したように本発明は、リアパネルは、表示ユニットを固定しているフレームの背面にねじなどの締結部品で固定され、フロントパネルは、Ｌ字枠状のフロントパネルの先端部にて光学フィルタ及びフィルタ取付金具をカバーすると共に、この他方端部でリアパネルの枠状端部にねじなどの締結部品で固定することにより、リアパネルの枠状端部上の締結部品のねじを取るだけで容易にフロントパネルのみの着脱ができることになり、フロントパネルは外観部品であるため傷がついた場合の交換や外観デザインを画像の表示装置の使用される雰囲気に合わせて簡単に変更できる。特に、大型画面で重量のあるプラズマディスプレイ（ＰＤＰ）には最適な構造である。
【００１９】
フィルタ取付金具は、矩形状の光学フィルタの４辺をそれぞれに支持する側の端部が任意の数で互い違いの間隔の爪部を有して光学フィルタの表裏を狭持することにより、光学フィルタの取り付けが容易でＰＤＰからの不要輻射について従来より高いシールド性能を発揮することができる。
【００２０】
フィルタ取付金具の爪部の少なくとも一方の狭持面に突起部を有していることにより、光学フィルタ（透明電極、黒ベタの遮光膜含む）の厚さにバラツキがあっても確実にフィルタ取付金具と接触し導通が取れ、ＰＤＰなどの表示ユニットからの電磁波のシールド効果を発揮することができる。
【００２１】
フィルタ取付金具の他方の爪部の幅は、切り欠きしたばね性を有する一方の爪部の幅より広くすることにより、平坦で剛性があるので光学フィルタの取り付けが容易で浮き上がり、反り、たわみなどの事故問題も起きることはない。
【００２２】
フィルタ取付金具の長手方向の爪部の少なくとも一方の端部には、矩形状の光学フィルタの長手方向を位置決めする切り起し部を設けることにより、光学フィルタの位置決めができのでフィルタ取付金具への取り付けの狭持作業が容易になる。
【００２３】
フロントパネルには、Ｌ字枠状の内側に補強を兼ねた位置決めリブを設けて、光学フィルタ１の縁部を接触させて光学フィルタを位置決めすることにより、フロントパネルと光学フィルタとの位置決めができるので、フロントパネルを着脱してもフロントパネルの画面開口部と光学フィルタの遮光膜とが正確に位置決め取り付けすることができる。
【図面の簡単な説明】
【図１】図１は本発明によるＰＤＰでの表示装置の一実施例の要部断面図である。
【図２】本発明による一実施の形態例の分解斜視図である。
【図３】図２の分解図を組立したものとフロントパネルとの斜視図である。
【図４】本発明によるフィルタ取付金具の構造を示す斜視図である。
【図５】本発明によるフィルタ取付金具の爪部の突起部を示す断面図である。
【図６】本発明による導電性テープを介してフィルタ取付金具で狭持した状態の断面図である。
【図７】本発明によるフィルタ取付金具の切り起し部の斜視図である。
【図８】本発明による他の実施形態のフロントパネルの断面図である。
【図９】従来のＰＤＰの薄型画像表示装置の断面図である。
【符号の説明】
１　光学フィルタ
２　フィルタ取付金具
３　表示ユニット
４　フレーム
５　リアパネル
６　フロントパネル
７、８、９、１０　ねじなどの締結部品
【図１】
2004117874.tif 000003
【図２】
2004117874.tif 000004
【図３】
2004117874.tif 000005
【図４】
2004117874.tif 000006
【図５】
2004117874.tif 000007
【図６】
2004117874.tif 000008
【図７】
2004117874.tif 000009
【図８】
2004117874.tif 000010
【図９】
2004117874.tif 000011